(57)【要約】【課題】スタンドの姿勢変更に伴う、スタンドやスタンドステーの位置決めおよび固定操作を容易に行える、作業性を向上させた作業機を提供する。【解決手段】車両に取付ける作業機のヒッチ２２に、一端部を連結したリフトシリンダ２６と、このリフトシリンダ２６の他端部を取付けたメインビーム２３と、このメインビーム２３から延設し、先端部に取付部材を介してアタッチメント２５を取付けたブーム２４と、このブーム２４のスタンド固定部３２に、一端部を回動軸３３で枢結し、他端部を接地させて作業機Ｓを支持するスタンド３１と、このスタンド３１の中途部に、スタンド３１を支持するスタンド支持体４１とを備え、スタンド３１は、回動軸３３を介してこのスタンド３１の長手方向に摺動可能とし、かつ回動軸３３の下方に位置決め部材３６を突設するとともに、スタンド固定部３２は、位置決め部材３６を、スタンド３１の収納位置ｂで嵌合させる収納位置用切欠部３５と、スタンド３１の使用位置ａで嵌合させる使用位置用切欠部３４とを備える。【選択図】図４
2010265674.tif 000002
【特許請求の範囲】
【請求項１】
車両に取付ける作業機のヒッチに、一端部を連結したリフトシリンダと、
該リフトシリンダの他端部を取付けたメインビームと、
該メインビームから延設し、先端部に取付部材を介してアタッチメントを取付けたブームと、
該ブームのスタンド固定部に、一端部を回動軸で枢結し、他端部を接地させて前記作業機を支持するスタンドと、
該スタンドの中途部に、前記スタンドを支持するスタンド支持体と、
を備えた、車両に着脱自在に装着させる作業機において、
前記スタンドは、前記回動軸を介して該スタンドの長手方向に摺動可能とし、かつ前記回動軸の下方に位置決め部材を突設するとともに、
前記スタンド固定部は、前記位置決め部材を、前記スタンドの収納位置で固定させる収納位置用切欠部と、前記スタンドの使用位置で固定させる使用位置用切欠部とを備えることを特徴とする作業機。
【請求項２】
前記回動軸は、該回動軸と、前記位置決め部材との間に設けた弾性部材の伸縮により、前記スタンドに形成した長穴内を揺動することを特徴とする、請求項１に記載の作業機。
【請求項３】
前記収納位置用固定部および前記使用位置用固定部には、前記スタンド支持体の他端部に設けた固定具を着脱自在とした穴部を設けるとともに、前記穴部は、大きさの異なる、出入部および保持部からなることを特徴とする、請求項１に記載の作業機。
【発明の詳細な説明】
【技術分野】
【０００１】
本発明は、車両前部に着脱自在に装着させる作業機に関し、より詳細には、作業機のスタンドは、回動軸を介してこのスタンドの長手方向に摺動可能とし、かつ回動軸の下方に位置決め部材を突設するとともに、スタンド固定部は、位置決め部材を、スタンドの収納位置で固定させる収納位置用切欠部と、スタンドの使用位置で固定させる使用位置用切欠部とを備えた作業機に関する。
【背景技術】
【０００２】
従来、トラクタなど作業車両における、着脱自在に装着させるフロントローダなどの作業機では、この作業機を車両に着脱させる際に、作業機に備えるスタンドを、使用位置または収納位置に移動させて固定するが、スタンドの固定位置において、係合ピンを係止孔に挿入し、ベータピンを係合ピンの通孔に挿入させて、スタンドを固定するもの（例えば、特許文献１）や、スタンドステーを備えるスタンドを用いて作業機を車両に着脱させる場合、スタンドステー先端の、ピン挿通孔を備えるボスにより、スタンド収納位置においてスタンドステー先端と、スタンド先端部、スタンド使用位置においてスタンドステー先端とスタンド中途部とをそれぞれ固定ピンで係止させてスタンドを固定するもの（特許文献２）がある。
【先行技術文献】
【特許文献】
【０００３】
【特許文献１】特開平１１−２６６６０５号公報
【特許文献２】特開２０００−１７０１９６号公報
【発明の概要】
【発明が解決しようとする課題】
【０００４】
しかし、特許文献１のような作業機では、スタンドの姿勢変更の際、工具を必要とする場合もある係合ピンの抜き差し操作や位置決めに手間がかかり作業性が悪いという問題や、スタンドの固定補助を行なうスタンドステーが備えられてないため、スタンドの支持が不十分となるおそれがあった。
また、特許文献２のような作業機では、スタンドステーによりスタンドを安定支持できるものの、固定ピンと、ピン挿通孔との直径が略等しいため、スタンドの姿勢変更によりピン挿通孔と固定ピンとの位置を合致させたとき（位置決め）でも、ピン挿通孔に固定ピンを嵌入し辛く、これら作業に手間がかかり、作業性が低いという問題があった。
そこで、この発明の目的は、スタンドの姿勢変更に伴う、スタンドやスタンドステーの位置決めおよび固定操作を容易に行える、作業性を向上させた作業機を提供するものである。
【課題を解決するための手段】
【０００５】
このため請求項１に記載の発明は、車両に取付ける作業機のヒッチに、一端部を連結したリフトシリンダと、該リフトシリンダの他端部を取付けたメインビームと、該メインビームから延設し、先端部に取付部材を介してアタッチメントを取付けたブームと、該ブームのスタンド固定部に、一端部を回動軸で枢結し、他端部を接地させて前記作業機を支持するスタンドと、該スタンドの中途部に、前記スタンドを支持するスタンド支持体とを備えた、車両に着脱自在に装着させる作業機において、前記スタンドは、前記回動軸を介して該スタンドの長手方向に摺動可能とし、かつ前記回動軸の下方に位置決め部材を突設するとともに、前記スタンド固定部は、前記位置決め部材を、前記スタンドの収納位置で嵌合させる収納位置用切欠部と、前記スタンドの使用位置で嵌合させる使用位置用切欠部とを備えることを特徴とする。
【０００６】
請求項２に記載の発明は、請求項１に記載の作業機において、前記回動軸は、該回動軸と、前記位置決め部材との間に設けた弾性部材の伸縮により、前記スタンドに形成した長穴内を揺動することを特徴とする。
【０００７】
請求項３に記載の発明は、請求項１に記載の作業機において、前記収納位置用固定部および前記使用位置用固定部には、前記スタンド支持体の他端部に設けた固定具を着脱自在とした穴部を設けるとともに、前記穴部は、大きさの異なる、出入部および保持部からなることを特徴とする。
【発明の効果】
【０００８】
請求項１に記載の発明によれば、車両に取付ける作業機のヒッチに、一端部を連結したリフトシリンダと、このリフトシリンダの他端部を取付けたメインビームと、このメインビームから延設し、先端部に取付部材を介してアタッチメントを取付けたブームと、このブームのスタンド固定部に、一端部を回動軸で枢結し、他端部を接地させて作業機を支持するスタンドと、このスタンドの中途部に、スタンドを支持するスタンド支持体とを備えた、車両に着脱自在に装着させる作業機において、スタンドは、回動軸を介してこのスタンドの長手方向に摺動可能とし、かつ回動軸の下方に位置決め部材を突設するとともに、スタンド固定部は、位置決め部材を、スタンドの収納位置で嵌合させる収納位置用切欠部と、スタンドの使用位置で嵌合させる使用位置用切欠部とを備えるので、作業者はスタンドを摺動および回動させるだけで、別途工具や係止具などを必要とせず、スタンドの姿勢位置を容易に変更させることができる。従って、作業性を向上させた作業機を提供することができる。
【０００９】
請求項２に記載の発明によれば、回動軸は、この回動軸と、位置決め部材との間に設けた弾性部材の伸縮により、スタンドに形成した長穴内を揺動するので、スタンドの姿勢変更時には、変更前のスタンドを容易に摺動させて、切欠部からの位置決め部材の嵌合を解除および、スタンドの回動に伴う変更後において、弾性部材の付勢により作業者がスタンドから手を離しても、位置決め部材を自動的に切欠部に嵌合させることができる。従って、作業性を向上させた作業機を提供することができる。
【００１０】
請求項３に記載の発明によれば、収納位置用固定部および使用位置用固定部には、スタンド支持体の他端部に設けた固定具を着脱自在とした穴部を設けるとともに、穴部は、大きさの異なる、出入部および保持部からなるので、ブームに設けた固定部の穴部に、スタンド他端部に設けた固定具を嵌合させる際、固定部の出入部により、固定具を穴部に容易に嵌入および取外しをすることができる。従って、作業性を向上させた作業機を提供することができる。
【図面の簡単な説明】
【００１１】
【図１】本発明の一実施例に係る農作業車両としての、ホイール式トラクタの左側面図である。
【図２】前部に作業機を取付けたホイール式トラクタの左側面図である。
【図３】前作業機部分を拡大して示した機体前部の左側面図である。
【図４】スタンド部分を拡大して示す前作業機前部の左側面図である。
【図５】ブーム固定部およびスタンドの背面図である。
【図６】スタンド支持体を備えるスタンドを使用位置で固定させた前作業機前部の側面図である。
【図７】スタンド支持体における固定部の拡大側面図である。
【図８】スタンド支持体における固定部の背面図である。
【図９】スタンド支持体を備えるスタンドを収納位置で固定させた前作業機前部の側面図である。
【図１０】ブーム側に回動軸を設けたスタンド支持体を示す前作業機前部の左側面図である。
【図１１】スタンド支持体を支持するスタンド側に設けたロック溝の正面図である。
【発明を実施するための最良の形態】
【００１２】
以下、図面を参照しつつ、この発明を実施するための最良の形態について詳述する。
図１は本発明の一実施例に係る農作業車両としての、ホイール式トラクタの左側面図、図２は前部に作業機を取付けたホイール式トラクタの左側面図である。なお、図に例示したトラクタは、ロプス仕様のホイール式トラクタに限定されず、キャビン仕様や、クローラ式などであってもよく、さらには、トラクタに限定されず、作業車両としての除雪車や、建設作業車両など、作業機を着脱できる車両であればよい。
【００１３】
この例の作業車両であるトラクタ１は、図１〜２に示すように、機体フレーム２の前後に前輪３および後輪４を備え、前輪３の上方にボンネット５を形成し、その内側には原動機部としてのエンジン６およびエンジン６の後方にクラッチハウジング７が配置され、さらにこのクラッチハウジング７の後方には、ミッションケース８が配設されており、エンジン６からの動力が前輪３および後輪４に伝達される。そして、ボンネット５の後部に連続して、機体フレーム２上には、キャビン９が設けられる。
【００１４】
次に、キャビン９内には、車両の操縦部として、ブレーキペダルやクラッチペダル１０などの操作ペダル、ステアリングハンドル１１、シート１２などが設けられる。
【００１５】
さらに、シート１２の両側方に有する左右フェンダ１３には、例えば、主変速レバー、副変速レバー、ＰＴＯ変速レバーなどの各種操作レバー１４を突設させる。そして、キャビン９の外周はそれぞれフロントガラス１５、リヤガラス１６、ドア１７、屋根１８などを取付けてもよい。なお、トラクタ１は、上述したキャビン仕様に限定されず、ロプス仕様であってもよい。
【００１６】
そして、エンジン６からの動力は、ミッションケース８から突出した不図示のＰＴＯ軸からや、不図示の油圧ケースなどを介して、車両後部では、ユニバーサルジョイントや三点リンク式などの作業機装着装置を介して装着された図示しない後部作業機を駆動させることができるほか、車両前部では、機体の前部に設置した左右一対のヒッチ２１を介して車両前後に装着された前作業機Ｓが駆動される。
【００１７】
このヒッチ２１は、機体フレーム２の中途部に設置した、左右一対のステー２１ａ   を介してそれぞれ上方に立ち上げ状に取付け、各ヒッチ２１の上端部には、正面視略門型の連結フレーム２１ｂが跨架される。
【００１８】
次に、本願発明の特徴である、作業機について、その具体的構成を説明する。図３は前作業機部分を拡大して示した機体前部の左側面図、図４はスタンド部分を拡大して示す前作業機前部の左側面図、図５はブーム固定部およびスタンドの背面図である。
【００１９】
まず、フロントローダを例とした前作業機Ｓは、図３に示すように、前作業機Ｓの後部に設置した左右一対のヒッチ２２と、各ヒッチ２２に基端部を枢支した、中途部にメインビーム２３を介在する左右一対のブーム２４と、各ブーム２４の先端間に、取付部材を介して着脱自在に取付けたバケットなどのアタッチメント２５と、各ブーム２４を昇降駆動させるための、各メインビーム２３と各ヒッチ２２との間に介設した左右一対のリフトシリンダ２６と、アタッチメント２５を回動させるための、アタッチメント２５の左右側部と各リフトアーム２４の中途部との間に介設した左右一対のアタッチメントシリンダ２７などから構成される。なお、図中、２８はアタッチメントリンク（取付部材）、２９は連動リンク（連結部材）、３０は連動ロッド（連結部材）である。
【００２０】
また、各ブーム２４の前端部には、上述した前作業機Ｓを機体に着脱する際、この前作業機Ｓを地面上に立てる（起こす）ための、左右一対のスタンド３１が、後述する回動軸３３（支点ピン）を中心に機体前後方向に回動自在に設置される。なお、スタンド３１は、左右どちらか一側に備えるものであってもよい。また、図２〜４ではスタンドステー（後述するスタンド支持体）を省略して記しているが、本願発明ではスタンド３１のみで前作業機Ｓを立てることができる。
【００２１】
このスタンド３１は、断面が上面を開口した略Ｕ字で棒状に形成されたもので、図４〜５に示すように、ブーム２４の前部下端であって、その下部に溶接などして突設させ、下部を開口した背面視略コ字状の枢軸支持体であるスタンド固定部３２に、回動軸３３を介して、使用位置ａと、収納位置ｂとの間で回動自在に枢着される。
【００２２】
そして、スタンド固定部３２におけるスタンド３１の使用位置ａには、使用位置用切欠部３４を形成するとともに、スタンド３１の収納位置ｂには、収納位置用切欠部３５が形成される。
【００２３】
また、スタンド３１は、その両側面であって、枢軸支持体３２の端部近傍位置には、使用位置用切欠部３４および収納位置用切欠部３５に嵌入可能な、金属製のピンなどの位置決め部材３６が溶接などにより突設される。
【００２４】
そして、図５に示すように、回動軸３３と、位置決め部材３６とのそれぞれ両端部間には、バネなどの弾性部材３７を掛止などして介在させるとともに、図４に示すように、スタンド３１の回動軸３３を貫設する穴部は、回動軸３３をスタンド３１の長手方向に回動可能とする長穴３８とされる。
【００２５】
従って、位置決め部材３６は、弾性部材３７の付勢により、常時回動軸３３側に  引かれる状態で、通常は、使用位置用切欠部３４または収納位置用切欠部３５に嵌入される。なお、回動軸３３および位置決め部材３６の両端には、弾性部材３７の抜け落ちを防止する頭部３９を形成してもよい。
【００２６】
ここで、各ブーム２４間に機体前部を出入させ、両ヒッチ２１，２２間の取付あるいは取外しを行う、前作業機Ｓの脱着時に、スタンド３１を収納位置ｂから使用位置ａに回動させる際には、アタッチメント２５を接地させた状態において、まず作業者は、収納位置ｂに有するスタンド３１を手で掴むなどして、このスタンド３１を、下端の接地部後方に向けて弾性部材３７の付勢に抗して引く。
【００２７】
これにより、スタンド３１下端部側（接地部）の長穴３８端部に位置する回動軸３３が、スタンド３１上端部側の長穴３８端部まで長穴３８内を摺動されるとともに、収納位置用切欠部３５に嵌入されていた位置決め部材３６が、収納位置用切欠部３５およびスタンド固定部３２の外方に移動するため、位置決め部材３６が収納位置用切欠部３５に嵌入されることによるスタンド３１の収納位置ｂにおける固定状態が解除される。
【００２８】
次いで、作業者は、スタンド３１を、回動軸３３を回動支点として、スタンド３１の接地部が地面に接地し、位置決め部材３６が使用位置用切欠部３４近傍に位置する使用位置ａまで回動させる。
【００２９】
そして、作業者は、スタンド３１から手を離すことで、位置決め部材３６が弾性部材３７の付勢により回動軸３３側に引かれるため、位置決め部材３６が使用位置用切欠部３４内に嵌入されるとともに、回動軸３３が、スタンド３１下端部側（接地部）の長穴３８端部まで摺動する。この結果、スタンド３１が、位置決め部材３６の使用位置用切欠部３４内への嵌入により使用位置ａで固定される。
【００３０】
次に、前作業機Ｓの装着時に、スタンド３１を使用位置ａから収納位置ｂに回動させる際には、アタッチメント２５を接地させた状態において、作業者は、使用位置ａに有するスタンド３１を上述同様に手で掴むなどして、このスタンド３１を、下端の接地部後方に向けて弾性部材３７の付勢に抗して引っ張ることで、回動軸３３を長穴３８内で、使用位置用切欠部３４および枢軸支持体３２の外方に移動させる。
【００３１】
次いで、スタンド３１を、回動軸３３を回動支点として、収納位置ｂまで回動させて、作業者がスタンド３１から手を離すことで、スタンド３１が、弾性部材３７の付勢による位置決め部材３６の使用位置用切欠部３４内へ嵌入されることにより、使用位置ａで固定される。
【００３２】
このような構成により、作業者は、スタンド３１の姿勢位置を変更する際、工具を必要とせず、容易に操作を行うことができるとともに、各姿勢位置でスタンド３１を固定させるための係止部材を別途用いる必要がなく、係止部材を紛失したり、または係止部材の係止部などを前作業機Ｓに形成する製造工程を省くことができる。
【００３３】
なお、スタンド３１の使用姿勢は、上述した使用位置ａに限定されず、スタンド３１の使用角度に応じて位置決め部材３６に、他の切欠部を設けることで、スタンド３１を適宜角度の使用姿勢で固定することができる。
【００３４】
次に、本願発明では、上述した各姿勢位置での固定方法を備えるスタンド３１に、ステーを用いてスタンド３１をさらに安定支持させることができる。図６はスタンド支持体を備えるスタンドを使用位置で固定させた前作業機前部の側面図、図７はスタンド支持体における固定部の拡大側面図、図８はスタンド支持体を備えるスタンドを収納位置で固定させた前作業機前部の側面図、図９はスタンド支持体における固定部の正面図である。
【００３５】
まず、図６に示すように、スタンド３１と、ブーム２４との間には、スタンド支持体４１が設けられる。このスタンド支持体４１は、金属製の厚みが薄く長板状のものであり、一端部に設けられた、スタンド支持体４１と一体の回動軸４２が、スタンド３１中途部に枢結される。
【００３６】
また、スタンド支持体４１の他端部には、金属製からなる円筒状であり、端部にストッパｓを形成したピンなどである固定具４３が、前作業機Ｓの内側に向けて溶接などして取付けられる。
【００３７】
また、スタンド固定部３２後方であって、ブーム２４中途部における下端部の前部および後部には、スタンド支持体４１他端部（後端部）を固定させるための、使用位置用固定部４５および収納位置用固定部４６の上端部が、ボルト締結または溶接などして取付けられる。
【００３８】
つまり、スタンド３１の使用位置ａにおいて、スタンド支持体４１の他端部が位置するブーム２４下端部に、使用位置用固定部４５が取付けられるとともに、スタンド３１の収納位置ｂにおいて、スタンド支持体４１の他端部が位置するブーム２４下端部に、収納位置用固定部４６が取付けられる。
【００３９】
これら両固定部４５，４６は、金属製の板状の部材であり、固定部４５の中央部には、図７（ａ）に示すように、例えば、固定具４３を嵌入可能とする、側面視で縦方向に配置した略瓢箪形状（限定されず、後述する構成であればよい）の穴部４７および、固定部４６の中央部には、図７（ｂ）に示すように、固定具４３を嵌入可能とする、側面視で横方向に配置した略瓢箪形状（限定されず、後述する構成であればよい）の穴部４８がそれぞれ形成される。
【００４０】
そして、これら穴部４７，４８は、保持部ｃが、固定具４３の直径に略等しい直径を有するとともに、出入部ｄが、ストッパｓよりも大きい直径を有するように形成される。従って、穴部４７，４８の保持部ｃおよび出入部ｄは連通するとともに、保持部ｃよりも出入部ｄの直径前後方向最大幅が大きい形状とされる。さらに、固定部４５には、例えば、その背面側（正面側でもよい）に、保持部ｃおよび出入部ｄを連通および遮断状態に切換可能とする、ノブボルト（チョウボルトなどでもよい）などの支持部材４５ａが備えられる。
【００４１】
ここで、上述したように、スタンド３１を、収納位置ｂから使用位置ａにして、スタンド支持体４１でスタンド３１を支持固定させる場合、図８に示すように、スタンド３１が収納位置ｂで固定されるとともに、スタンド支持体４１の他端部が、収納位置用固定部４６に固定具４３で固定されている。
【００４２】
このとき、収納位置用固定部４６では、スタンド支持体４１の固定具４３が、固定具４３の直径に略等しい穴部４８の保持部ｃで係止されるため、スタンド支持体４１が、収納位置用固定部４６に確実に固定されており、さらに、固定具４３のストッパｓにより、収納位置用固定部４６における保持部ｃからの固定具４３の抜け落ちが防止されている。
【００４３】
そして、作業者は、スタンド３１を前作業機Ｓの後方に向けて、上述したように、弾性部材３７の付勢に抗して引くことで、スタンド支持体４１も、回動軸４２を介して前作業機Ｓの後方に向けて摺動される。
【００４４】
このとき、収納位置用固定部４６の穴部４８における保持部ｃに嵌合されていたスタンド支持体４１の固定具４３が、出入部ｄ内に移動され、この出入部ｄから固定具４３が取り外される。なお、スタンド３１が上述したような弾性部材３７を備えない場合には、スタンド３１の中途部に、回動軸４２を摺動可能とする図示しない切欠部を設けることができる。
【００４５】
次いで、作業者は、上述したように、スタンド３１を、収納位置ｂから使用位置ａに回動させるとともに、回動軸４２を中心としてスタンド支持体４１を回動させる。
【００４６】
そして、スタンド支持体４１の固定具４３を、使用位置用固定部４５の出入部ｄ内に貫入させるが、出入部ｄの直径は、固定具４３のストッパｓの直径よりも大きいため、固定具４３を、出入部ｄ内に容易に貫入させることができる。
【００４７】
次いで、スタンド支持体４１の他端部をブーム２４側に上昇させて、固定具４３を保持部ｃに嵌合させるとともに、支持部材４５ａを回し、使用位置用固定部４５の前後方向であって、図７（ｃ）に示すように、穴部４７を介して、保持部ｃと、出入部ｄとを遮断する位置に螺入させる。なお、固定具４３のストッパｓにより、保持部ｃからの固定具４３の外れが防止される。
【００４８】
この結果、固定具４３は、支持部材４５ａにより、出入部ｄに落下することなく、保持部ｃ内で支持されることで、スタンド支持体４１を、使用位置用固定部４５に容易に固定でき、スタンド３１を確実に固定させることができる。
【００４９】
そして、作業者は、工具や別途着脱式の係止部材を用いることなく、上記作業を容易に行うことができる。なお、支持部材４５ａは、ボルトなどに限定されず、スタンド支持体４１と、ブーム２４との間に設けたフックなどであってもよい。
【００５０】
なお、スタンド３１を、使用位置ａから収納位置ｂに回動させる場合には、上述とは逆に、使用位置用固定部４５の支持部材４５ａを回して、穴部４における保持部ｃと、出入部ｄとの支持部材４５ａによる遮断を解除し、スタンド３１を弾性部材３７の付勢に抗してスタンド３１下方に引くことで、スタンド支持体４１における、保持部ｃから下方の出入部ｄに移動させた固定具４３を、使用位置用固定部４５の穴部４７から取り外す。
【００５１】
そして、スタンド３１およびスタンド支持体４１を回動させ、スタンド３１の収納位置ｂにおいて、スタンド３１を、弾性部材３７の付勢に抗して前作業機Ｓ後方に引くことで、固定具４３を、収納位置用固定部４６の穴部４７における出入部ｄに貫入後、作業者がスタンド３１から手を離すと、スタンド３１が弾性部材３７の付勢により、前作業機Ｓ前方に向かって摺動されるため、固定具４３が保持部ｃに摺動されて嵌合する結果、スタンド支持体４１が確実、かつ容易に収納固定される。
【００５２】
このような構成により、スタンド支持体４１を、使用位置用固定部４５または収納位置用固定部４６に固定具４３を介して固定するため、穴部４７，４８に固定具４３を挿入するときは、固定具４３を、まず、これら穴部４７，４８内であって、固定具４３のストッパｓよりも直径の大きな出入部ｄに容易に貫入させた後、固定具４３を移動させるだけで保持部ｃに簡単に嵌合させることができる。
【００５３】
従って、固定具４３を穴部４７，４８内に嵌合させ、スタンド支持体４１を、使用位置用固定部４５または収納位置用固定部４６に固定具４３を介して固定する際、別途工具を必要とせず、作業者は楽に両者を嵌合固定させることができる。
【００５４】
また、上述したスタンド支持体４１は、ブーム２４側に設けた回動軸によりスタンド３１を使用位置ａおよび収納位置ｂで固定支持させることもできる。図１０はブーム側に回動軸を設けたスタンド支持体を示す前作業機前部の左側面図、図１１はスタンド支持体を支持するスタンド側に設けたロック溝の正面図である。
【００５５】
この場合、図１０に示すように、ブーム２４中途部における下端部の適宜位置には、スタンド支持体４１の回動軸５５を枢支した固定部５１が設けられる。また、スタンド支持体４１は、回動軸５５を基端としてブーム２４左右方向に若干揺動可能になるよう構成される。
【００５６】
さらに、この固定部５１は、例えば、ブーム２４内側に設けた図示しない溝内に固定部５１外側面に設けた凸部を嵌合させることにより、ブーム２４下端を機体前後方向に摺動可能となるように形成される。なお、固定部５１は、この固定部５１に設けた図示しない係止部（構成は限定されない）により、ブーム２４下端の適宜位置で係止できるように構成される。
【００５７】
一方、スタンド支持体４１の前端部を、スタンド３１背面中央などに形成した摺動溝５２内に嵌合させるとともに、この摺動溝５２内であって、スタンド３１の使用位置ａおよび収納位置ｂに伴うスタンド支持体４１前端部の位置には、図１１に示すような摺動溝５２側方（ブーム２４の左右方向）に向けて形成した、摺動溝５２幅に略等しい幅を有する使用側ロック溝５３および収納側ロック溝５４が設けられる。なお、該ロック溝５３，５４は、それぞれ摺動溝５２に対して左右もしくは左右いずれか一方のみに形成してもよい。
【００５８】
ここで、上述同様に、例えば、スタンド３１を収納位置ｂから使用位置ａに回動させる際には、まず、スタンド３１の収納側ロック溝５４内に嵌合されるスタンド支持体４１の前端部を摺動溝５２内に移動させる。
【００５９】
次いで、スタンド３１の回動に伴い、スタンド支持体４１は、固定部５１をブーム２４の前部に向けて摺動させながら、回動軸４２´を軸芯とし、スタンド支持体４１の前端部を、摺動溝５２内に沿わせスタンド３１上方に向けて摺動する。
【００６０】
そして、スタンド３１の使用位置ａにおいて、固定部５１を、この使用位置ａに対応するブーム２４下端位置に前記係止部材などで係止させるとともに、スタンド支持体４１の前端部を、左右いずれか一方の使用側ロック溝５３内に導入することにより、スタンド支持体４１の前端部が使用側ロック溝５３内で固定されるため、ステー３１をスタンド支持体４１により安定支持させることができる。
【００６１】
また、スタンド３１を、使用位置ａから収納位置ｂに回動させるときにも、スタンド支持体４１を上記同様に摺動させて収納側ロック溝５４に固定し、ステー３１をスタンド支持体４１により安定支持させることができる。
【００６２】
このような構成により、スタンド３１を安定支持させるスタンド支持体４１の係止のため、別途工具や係止具を必要とせず、作業者はスタンド支持体４１を摺動させることにより、このスタンド支持体４１を楽にスタンド３１に固定させることができる。
【００６３】
以上詳述したように、この例の作業機Ｓは、車両に取付ける作業機のヒッチ２２に、一端部を連結したリフトシリンダ２６と、このリフトシリンダ２６の他端部を取付けたメインビーム２３と、このメインビーム２３から延設し、先端部に取付部材を介してアタッチメント２５を取付けたブーム２４と、このブーム２４のスタンド固定部３２に、一端部を回動軸３３で枢結し、他端部を接地させて作業機Ｓを支持するスタンド３１と、このスタンド３１の中途部に、スタンド３１を支持するスタンド支持体４１とを備え、スタンド３１は、回動軸３３を介してこのスタンド３１の長手方向に摺動可能とし、かつ回動軸３３の下方に位置決め部材３６を突設するとともに、スタンド固定部３２は、位置決め部材３６を、スタンド３１の収納位置ｂで嵌合させる収納位置用切欠部３５と、スタンド３１の使用位置ａで嵌合させる使用位置用切欠部３４とを備えるものである。
【産業上の利用可能性】
【００６４】
なお、上述の例では、作業機を装着する作業車両の一例としてホイール式トラクタについて説明したが、この発明はこれに限定されるものではなく、クローラ式トラクタや、建設作業車両など、作業機を着脱自在に装着できるものであればよい。
【００６５】
また、作業機は、フロントローダを例にした前作業機で説明したが、機体後部に装着させる後部作業機であってもよく、さらには、アタッチメントは、バケットの例以外にフォークなどを用いた、あらゆる作業機に適用することができる。
【符号の説明】
【００６６】
２４    ブーム
３１    スタンド
３２    スタンド固定部
３３，４２，４２´    回動軸
３４    使用位置用切欠部
３５    収納位置用切欠部
３６    位置決め部材
４１    スタンド支持体
４３    固定具
４７，４８    穴部
４５    使用位置用固定部
４６    収納位置用固定部
５１    固定部
５２    摺動溝
５３    使用側ロック溝
５４    収納側ロック溝
ａ    使用位置
ｂ    収納位置
ｃ    保持部
ｄ    出入部
Ｓ    （前）作業機
ｓ    ストッパ
【図１】
2010265674.tif 000003
【図２】
2010265674.tif 000004
【図３】
2010265674.tif 000005
【図４】
2010265674.tif 000006
【図５】
2010265674.tif 000007
【図６】
2010265674.tif 000008
【図７】
2010265674.tif 000009
【図８】
2010265674.tif 000010
【図９】
2010265674.tif 000011
【図１０】
2010265674.tif 000012
【図１１】
2010265674.tif 000013